(57)【特許請求の範囲】
【請求項１】
建物の屋根面に形成され、屋根内部空間に形成されるルーフバルコニを屋外に連通する屋根開口部の止水構造であって、
前記屋根面には、前記開口部の上辺と側辺とに沿って立ち上がり部が連続して設けられ、
前記立ち上がり部は、
前記開口部の上辺と側辺とに沿って設けられた埋木と、
前記開口部の上辺に沿って設けられるとともに、雨水を堰き止めて前記開口部の側辺側に回り込ませるように構成された上辺部材と、
前記開口部の側辺に沿って設けられた側辺部材と、
前記上辺部材と側辺部材とを連続させる角部材とを備えて構成され、
前記上辺部材および側辺部材は、
前記埋木を覆う断面コ字形のカバー部と、
屋根材が載置される平坦部とをそれぞれ備え、
前記角部材は、
前記埋木を覆う断面コ字形のカバー部と、
前記平坦部と連続する交差部とを備え、
前記側辺部材の平坦部および角部材の交差部には、傾斜方向に沿った溝がそれぞれ形成されていることを特徴とする屋根開口部の止水構造。
【請求項２】
請求項１に記載の屋根開口部の止水構造において、前記開口部の上辺および側辺に沿った立ち上がり部には、前記屋根面側に向かって突出する突起が設けられていることを特徴とする屋根開口部の止水構造。
【請求項３】
請求項１または２に記載の屋根開口部の止水構造において、前記開口部の上辺に沿った立ち上がり部と屋根面との接合線が、前記屋根の傾斜方向に直交する水平方向に対して傾斜していることを特徴とする屋根開口部の止水構造。
【請求項４】
請求項３に記載の屋根開口部の止水構造において、前記開口部の上辺側の屋根面には、前記開口部の上辺側における立ち上がり部の側面に当接され、前記立ち上がり部との接合線が二方向に傾斜して山形となるガイド部材が設けられていることを特徴とする屋根開口部の止水構造。
【請求項５】
請求項３に記載の屋根開口部の止水構造において、前記開口部の上辺側の屋根面には、前記開口部の上辺側における立ち上がり部の側面に当接され、前記立ち上がり部との接合線が一方向に傾斜しているガイド部材が設けられていることを特徴とする屋根開口部の止水構造。
【請求項６】
請求項３に記載の屋根開口部の止水構造において、前記開口部の上辺が三角山形に形成され、その上辺に沿って立ち上がり部が設けられていることを特徴とする屋根開口部の止水構造。
【請求項７】
請求項３に記載の屋根開口部の止水構造において、前記開口部の上辺が一方向に傾斜しており、その上辺に沿って立ち上がり部が設けられていることを特徴とする屋根開口部の止水構造。
【発明の詳細な説明】
【０００１】
【発明の属する技術分野】
本発明は、屋根開口部の止水構造に関するものである。
【０００２】
【背景技術】
建物の屋根面に開口部を形成することによって、屋根内部に屋外に通じる空間を形成し、その空間に屋内側から出入りして利用できる床を設けてルーフバルコニを形成する場合があった。
すなわち、図１１に示すように、ルーフバルコニ３５は、屋根面２０Ａに形成された開口部３０を介して屋外に通じる空間３０Ａに形成される。このルーフバルコニ３５は、窓３４を介して屋内側から出入り可能となっている。
【０００３】
開口部３０の上辺３１および側辺３２は、一般的な屋根の軒樋およびけらばと同じ構造となっている。すなわち、前記上辺３１には樋９１が取り付けられ、前記側辺３２は、けらば納まりとされていた。
このため、雨が降った際には開口部３０に直接入る雨は、ルーフバルコニ３５上に設けられている排水溝を通って排水孔９３から排水され、屋根面２０Ａを伝って開口部３０の上辺３１の樋９１に入ってきた雨は、前記樋９１に取り付けられている排水管９２およびルーフバルコニ３５上の排水溝を通り、ルーフバルコニ３５の排水孔９３から建物の外へ排水されていた。
【０００４】
【発明が解決しようとする課題】
しかしながら、建物の施工時に、開口部の上辺に樋を設けたり、開口部に排水管を取り付けたり、さらには、ルーフバルコニ上に排水溝を設けたりしなければならず、防水処理や排水経路が複雑になり、設置作業が煩雑になる上、樋や排水管等が露出するので、建物の外観を損なうという問題があった。
また、開口部の側辺は、けらば納まりとされ、屋根面より少し高くなる場合もあるが、通常はほとんど同じであり、雨水等の侵入を防止する形状とはされていなかったので、側辺から開口部内に雨水等が侵入するという問題もあった。
【０００５】
本発明の目的は、樋を省略することができ、かつ開口部の上辺と側辺とから開口部へ雨水等が侵入することを防ぐことができる屋根開口部の止水構造を提供することにある。
【０００６】
【課題を解決するための手段】
本発明は、図面を参照して説明すると、建物１の屋根面２０Ａに形成され、屋根内部空間に形成されるルーフバルコニ３５を屋外に連通する屋根開口部３０の止水構造であって、前記屋根面２０Ａには、前記開口部３０の上辺３１と側辺３２とに沿って立ち上がり部４０Ａ、４０Ｂが連続して設けられ、前記立ち上がり部４０Ａ、４０Ｂは、前記開口部３０の上辺３１と側辺３２とに沿って設けられた埋木４３と、前記開口部３０の上辺３１に沿って設けられるとともに、雨水を堰き止めて前記開口部３０の側辺３２側に回り込ませるように構成された上辺部材４１と、前記開口部３０の側辺３２に沿って設けられた側辺部材４２と、前記上辺部材４１と側辺部材４２とを連続させる角部材４４とを備えて構成され、前記上辺部材４１および側辺部材４２は、前記埋木４３を覆う断面コ字形のカバー部４１Ａ、４２Ａと、屋根材２２Ｄが載置される平坦部４１Ｂ、４２Ｂとをそれぞれ備え、前記角部材４４は、前記埋木４３を覆う断面コ字形のカバー部４４Ａと、前記平坦部４１Ｂ、４２Ｂと連続する交差部４４Ｂとを備え、前記側辺部材４２の平坦部４２Ｂおよび角部材４４の交差部４４Ｂには、傾斜方向に沿った溝がそれぞれ形成されていることを特徴とする。
【０００７】
開口部３０の上辺３１と側辺３２とに沿って立ち上がり部４０Ａ、４０Ｂが連続して設けられていることによって、屋根面２０Ａを伝って開口部３０側に流れる雨水等は、開口部３０の上辺３１の立ち上がり部４０Ａで堰き止められ、開口部３０の側辺３２側に回り込んで屋根２０の軒先方向に流れる。この際、開口部３０の側辺３２にも立ち上がり部４０Ｂが設けられているので、側辺３２側に回り込んだ雨水は開口部３０内に流れることがなく、軒先方向に流れる。このため、開口部３０の上辺３１および側辺３２から開口部３０への雨水等の侵入を防止することができるとともに、開口部３０に雨水等が侵入しないので、従来より用いられていた樋や排水管等を省略することができ、開口部３０における現場作業を削減することができ、外観を向上させることができる。
また、立ち上がり部４０Ａ、４０Ｂが上辺部材４１と、側辺部材４２と、角部材４４とを備えて構成されているので、上辺部材４１および側辺部材４２のみを開口部３０の上辺３１および側辺３２の寸法に応じて適宜用意しておけばよく、角部材４４は共通化して用いることができる。従って、コストを低減できて、様々な開口部に対応することができる。
また、上辺部材４１および側辺部材４２には平坦部４１Ｂ、４２Ｂがそれぞれ設けられているので、立ち上がり部４０Ａ、４０Ｂと屋根面２０Ａとの接合部分が一体的に形成され、接合部分から開口部３０に雨水等が浸入することを確実に防止でき、防水性能を高くすることができる。
さらに、側辺部材４２の平坦部４２Ｂおよび角部材４４の交差部４４Ｂにそれぞれ形成された溝によって、雨水等を容易に軒先方向に流すことができる。
【０００８】
前記開口部３０の上辺３１および側辺３２に沿った立ち上がり部４０Ａには、屋根面２０Ａ側に向かって突出する突起５０が設けられていることが望ましい。
このように、前記開口部３０の上辺３１に沿った立ち上がり部４０Ａに突起５０を設けることによって、例えば、屋根面２０Ａを伝って流れる雨水の量が多い場合でも、立ち上がり部４０Ａを越えて開口部３０内に侵入することをより確実に防止できる。
また、この突起５０を開口部３０の側辺３２に沿った立ち上がり部４０Ｂにも設ければ、側辺３２に衝突する雨水等の水しぶきが開口部３０内に侵入しにくくなり、側辺３２から開口部３０への雨水等の侵入もさらに防ぐことができる。
【０００９】
前記開口部３０の上辺３１に沿った立ち上がり部４０Ａとその上方の屋根面２０Ａとの接合線４５が、前記屋根２０の傾斜方向に直交する水平方向に対して傾斜していてもよい。
このように、接合線４５が傾斜していれば、上辺３１の立ち上がり部４０Ａで堰き止めた雨水が開口部３０の側辺３２側に回り込んで屋根２０の軒先方向へ流れやすくなるとともに、雨水等が開口部３０の上辺３１に沿った立ち上がり部４０Ａに溜まることを確実に防止できる。
【００１０】
また、前記立ち上がり部４０Ａとその上方に有する屋根面２０Ａとの接合線４５が、前記屋根２０の傾斜方向に直交する水平方向に対して傾斜している構造としては、前記開口部３０の上辺３１側の屋根面２０Ａに、立ち上がり部４０Ａの側面に当接され、前記立ち上がり部４０Ａとの接合線４５が二方向に傾斜して山形となるガイド部材６１が設けられた構造でもよいし、前記屋根面２０Ａに、立ち上がり部４０Ａの側面に当接され、前記立ち上がり部４０Ａとの接合線４５が一方向に傾斜しているガイド部材６２が設けられた構造でもよい。
【００１１】
さらに、接合線４５が傾斜している構造としては、前記開口部３０の上辺３１を三角山形に形成し、その上辺３１に沿って立ち上がり部４０Ａを設けてもよいし、前記開口部３０の上辺３１を一方向に傾斜させ、その上辺３１に沿って立ち上がり部４０Ａを設けてもよい。
【００１２】
このように、屋根２０とは別に、二方向に傾斜または一方向に傾斜しているガイド部材６１、６２を用意しておけば、ガイド部材６１、６２を設置したり、設置しなかったりするだけで接合線４５を水平にしたり、傾斜させることができる。このため、開口部３０の形状や立ち上がり部材４０Ａの形状は共通化でき、その分コストを低減できる。
【００１３】
また、開口部３０の上辺３１が三角山形または一方向に傾斜し、その上辺３１に沿って立ち上がり部４０Ａを設けて接合線４５を傾斜させた場合には、前記ガイド部材６１、６２を用意する必要がなく、その分部品点数を少なくできるので、コストを低減できる。
【００１４】
さらに、開口部３０の上辺３１の立ち上がり部４０Ａと屋根面２０Ａとの接合線４５が三角山形、つまり、二方向に傾斜して形成されている場合には、屋根面２０Ａを流れてきた雨水等を左右に分散させて流すことができる。この場合、屋根２０に設けられた軒樋の排水孔を左右に一つずつ形成して、バランスよく排水することもできる。
【００１５】
また、開口部３０の上辺３１の立ち上がり部４０Ａと屋根面２０Ａとの接合線４５が一方向に傾斜している場合には、屋根面２０Ａを流れる雨水等を一方向にまとめて排水することができ、例えば、軒樋に排水孔が一つしか形成されていない場合や一方の排水孔における排水を少なくする場合等に利用することができ、排水量をコントロールすることができる。
【００１６】
このように、屋根２０に取り付ける軒樋の構造および位置に応じて、開口部３０の上辺３１の傾斜構造を選択することができる。
【００１７】
【発明の実施の形態】
以下に本発明の実施の形態を図面に基づいて説明する。
図１には、本発明の一実施の形態を適用したユニット式建物１が示されている。前記ユニット式建物１は、建物本体１０とその上部に設けられる屋根２０とを含んで形成されている。
屋根２０には、複数の屋根ユニット２１が建物ユニット１１上に並設して形成されている。
【００１８】
屋根ユニット２１の屋根面２０Ａを形成する屋根パネル２２は、図２、３にも示すように、鋼材等を組み合わせた下地フレーム２２Ａと、この下地フレーム２２Ａ上に取り付けられる野地板２２Ｂと、野地板２２Ｂ上に貼られる防水シート２２Ｃと、防水シート２２Ｃ上に取り付けられる屋根材２２Ｄとで形成されている。
【００１９】
一部の屋根ユニット２１には、その屋根面２０Ａに略四角形状の開口部３０が形成されている。
この開口部３０を形成することによって、屋根２０の内部に屋外に通じる空間３０Ａが形成され、その空間３０Ａに窓枠３４Ａと窓枠３４Ａに取り付けられた障子３４Ｂとを備えて形成された窓３４を介して、屋内側から出入りして利用できる床を設けてルーフバルコニ３５が形成されている。
【００２０】
開口部３０の上辺３１に沿った屋根面２０Ａ（屋根パネル２２）上には、図５にも示すように、角柱状の埋木４３が設置され、この埋木４３を覆うように上辺部材４１が設けられている。
同様に、図４にも示すように、開口部３０の側辺３２に沿った屋根面２０Ａ（屋根パネル２２）上には、角柱状の埋木４３が設置され、この埋木４３を覆うように側辺部材４２が設けられている。
同様に、開口部３０の下辺３３に沿った屋根面２０Ａ（屋根パネル２２）上には、カバー材３３Ａが設けられている。
さらに、上辺部材４１と側辺部材４２との交差部分には、前記上辺部材４１と側辺部材４２とを連続させる角部材４４が設けられている。
【００２１】
上辺部材４１および側辺部材４２は、断面コ字形のカバー部４１Ａ、４２Ａと、屋根材２２Ｄが載置される平坦部４１Ｂ、４２Ｂとを備えて形成されている。また、角部材４４は、断面コ字形かつＬ字形のカバー部４４Ａと、交差部４４Ｂとを備えて形成されている。
【００２２】
この角部材４４は、上辺部材４１、側辺部材４２の端部に重ねられて取り付けられている。なお、側辺部材４２の平坦部４２Ｂおよび角部材４４の交差部４４Ｂには、傾斜方向に沿った溝が形成され、雨水等を容易に軒先方向に流すことができるようにされている。
【００２３】
ここで、前記上辺部材４１のカバー部４１Ａと、開口部３０の上辺３１に沿って設置された角柱状の埋木４３と、角部材４４の上辺３１に沿ったカバー部４４Ａとで上辺３１の立ち上がり部４０Ａが構成されている。
さらに、前記側辺部材４２のカバー部４２Ａと、開口部３０の側辺３２に沿って設置された角柱状の埋木４３と、角部材４４の側辺３２に沿ったカバー部４４Ａとで側辺３２の立ち上がり部４０Ｂが構成されている。
【００２４】
従って、上辺部材４１のカバー部４１Ａと平坦部４１Ｂとの折曲部分、つまり、立ち上がり部４０Ａと屋根面２０Ａとの交差部分には、接合線４５が形成されている。同様に、側辺部材４２のカバー部４２Ａと平坦部４２Ｂとの折曲部分、つまり、立ち上がり部４０Ｂと屋根面２０Ａとの交差部分には、接合線４５が形成されている。
【００２５】
このように、屋根面２０Ａには、開口部３０の上辺３１と側辺３２とに沿って立ち上がり部４０Ａ、４０Ｂが連続して形成されている。
また、立ち上がり部４０Ａ、４０Ｂには、屋根面２０Ａ側に向かって突出する水返し用の突起５０が設けられている。
【００２６】
このような本実施形態において、開口部３０の立ち上がり部４０Ａ、４０Ｂは、次のような手順で形成される。
まず、屋根ユニット２１の屋根面２０Ａに、略四角形状の開口部３０を形成する。
そして、図５に示すように、開口部３０の上辺３１および側辺３２に沿って、各々の長さを有する角柱状の埋木４３を取り付ける。
【００２７】
次に、屋根材２２Ｄを屋根パネル２２の下端から開口部３０の下辺３３まで貼り付ける。
その後、上辺部材４１と側辺部材４２とのカバー部４１Ａ、４２Ａを埋木４３に被せるとともに、平坦部４１Ｂ、４２Ｂを防水シート２２Ｃの上に載置し、両面テープ、釘等で固定する。そして、上辺部材４１と側辺部材４２の交差部分に角部材４４を重ね、両面テープ等で貼り付けて固定する。
また、開口部３０の下辺３３に沿って、カバー材３３Ａを取り付ける。
【００２８】
そして、図６に示すように、屋根材２２Ｄを下側から順に取り付ける。この際、上辺部材４１および側辺部材４２の平坦部４１Ｂ、４２Ｂ上にも順に屋根材２２Ｄを取り付ける。
このようにして、開口部３０の立ち上がり部４０Ａ、４０Ｂを形成する。
【００２９】
このような本実施形態によれば、次のような効果が得られる。
開口部３０の上辺３１に沿って立ち上がり部４０Ａが設けられていることによって、屋根面２０Ａを伝って開口部３０側に流れる雨水等は、開口部３０の上辺３１の立ち上がり部４０Ａで堰き止められ、開口部３０の側辺３２側に回り込んで屋根２０の軒先方向に流れるので、上辺３１から開口部３０への雨水等の侵入を防ぐことができる。
【００３０】
また、開口部３０の側辺３２にも立ち上がり部４０Ｂが設けられていることによって、側辺３２側に回り込んだ雨水は開口部３０内に流れることがなく、軒先方向に流れるので、側辺３２から開口部３０への雨水等の侵入も防ぐことができる。
【００３１】
このように、開口部３０の上辺３１と側辺３２とに沿って立ち上がり部４０Ａ、４０Ｂが連続して設けられていることによって、開口部３０の上辺３１および側辺３２から開口部３０への雨水等の侵入を防止することができる。
このため、従来より用いられていた樋や排水管等を省略することができるので、開口部３０における現場作業を削減することができ、外観を向上することができる。
【００３２】
また、前記開口部３０の上辺３１および側辺３２に沿った立ち上がり部４０Ａ、４０Ｂに、屋根面２０Ａ側に向かって突出する突起５０を設けることによって、屋根面２０Ａを伝って流れる雨水の量が多い場合や側辺３２に雨水等の水しぶきが衝突した場合でも、立ち上がり部４０Ａ、４０Ｂを越えて開口部３０内に侵入することをより確実に防止できる。
【００３３】
さらに、上辺部材４１および側辺部材４２によって、立ち上がり部４０Ａ、４０Ｂと屋根面２０Ａとの接合部分が一体成形されているので、接合部分から開口部３０に雨水等が侵入することを確実に防止でき、防水性能を高くすることができる。
【００３４】
なお、本発明は前記実施の形態に限定されるものではなく、本発明の目的を達成できる他の構成等を含み、以下に示すような変形等も本発明に含まれる。
例えば、前記実施の形態では、開口部３０の上辺３１に沿った立ち上がり部４０Ａとその上方に有する屋根面２０Ａとの接合線４５が、前記屋根２０の傾斜方向に直交する水平方向に対して平行であったが、接合線４５が傾斜していてもよい。
【００３５】
その具体的な構造としては、例えば、図７に示すように、前記開口部３０の上辺３１側の屋根面２０Ａに、立ち上がり部４０Ａの側面に当接され、前記立ち上がり部４０Ａとの接合線４５を二方向に傾斜させて山形（例えば、三角山形）となるガイド部材６１が設けられた構造でもよいし、図８に示すように、前記屋根面２０Ａに、立ち上がり部４０Ａの側面に当接され、前記立ち上がり部４０Ａとの接合線４５を一方向に傾斜させたガイド部材６２が設けられた構造でもよい。すなわち、屋根２０の傾斜方向に直交する水平方向に対して、接合線４５を屋根面２０Ａに直交する方向に傾斜させた構造であればよい。
【００３６】
さらに、接合線４５を傾斜させた構造としては、図９に示すように、前記開口部３０の上辺３１を三角山形に形成し、その上辺３１に沿って立ち上がり部４０Ａを設けることで接合線４５を二方向に傾斜させた構造でもよいし、図１０に示すように、前記開口部３０の上辺３１を一方向に傾斜させ、その上辺３１に沿って立ち上がり部４０Ａを設けることで接合線４５を一方向に傾斜させた構造でもよい。
すなわち、屋根２０の傾斜方向に直交する水平方向に対して、接合線４５を屋根面２０Ａ上で傾斜させた構造であればよい。
【００３７】
また、接合部４５を傾斜させた構造としては、例えば、半円錐状のガイド部材を用いたり、開口部３０の上辺３１の形状を円弧状にすることによって、接合線４５を円弧状に傾斜させた構造でもよく、要するに、立ち上がり部４０Ａとその上方に有する屋根面２０Ａとの接合線４５が前記屋根２０の傾斜方向に直交する水平方向に対して傾斜していればよい。
【００３８】
このように、接合線４５が傾斜していれば、上辺３１の立ち上がり部４０Ａで堰き止めた雨水が開口部３０の側辺３２側に回り込んで屋根２０の軒先方向へ流れやすくなるとともに、雨水等が開口部３０の上辺３１に沿った立ち上がり部４０Ａに溜まることを確実に防止できる。
【００３９】
さらに、屋根２０とは別に、二方向に傾斜または一方向に傾斜しているガイド部材６１、６２を用意した場合には、ガイド部材６１、６２を設置したり、設置しなかったりするだけで、接合線４５を水平にしたり、傾斜させることができる。このため、開口部３０の形状や立ち上がり部４０Ａの形状は共通化でき、その分コストを低減できる。
【００４０】
また、開口部３０の上辺３１が三角山形または一方向に傾斜し、その上辺３１に沿って立ち上がり部４０Ａを設けて接合線４５を傾斜させた場合には、前記ガイド部材６１、６２を用意する必要がなく、その分部品点数を少なくできるので、コストを低減できる。
【００４１】
さらに、開口部３０の上辺３１の立ち上がり部４０Ａと屋根面２０Ａとの接合線４５を三角山形、つまり、二方向に傾斜させて形成した場合には、屋根面２０Ａを流れてきた雨水等を左右に分散させて流すことができる。この場合、屋根２０に軒樋の排水孔を左右に一つずつ形成して、雨水等をバランスよく排水することもできる。
【００４２】
また、開口部３０の上辺３１の立ち上がり部４０Ａと屋根面２０Ａとの接合線４５を一方向に傾斜させた場合には、屋根面２０Ａを流れる雨水等を一方向にまとめて排水することができ、例えば、軒樋に排水孔が一つしか形成されていない場合や一方の排水孔における排水を少なくする場合等に利用することができ、排水量をコントロールすることができる。
【００４３】
さらに、前記実施の形態では、前記開口部３０の上辺３１および側辺３２に沿った立ち上がり部４０Ａ、４０Ｂには、水返し用の突起５０が設けられていたが、設けなくてもよい。
また、前記実施の形態では、前記開口部３０の上辺３１および側辺３２に沿った立ち上がり部４０Ａ、４０Ｂには、屋根面２０Ａと平行な突起５０が設けられていたが、例えば、屋根面２０Ａ側に向かって斜め上方に突出してもよい。要するに、突起５０は、屋根面２０Ａ側に向かって突出して、雨水等が立ち上がり部４０Ａ、４０Ｂを越えないように形成されていればよい。
【００４４】
さらに、前記実施の形態では、上辺部材４１と側辺部材４２とを設置してから、角部材４４を設けたが、これに限らず、例えば、先に角部材４４を設置してから上辺部材４１と側辺部材４２を設置してもよいし、側辺部材４２を設置し、次に角部材４４を設置して、最後に上辺部材４１を設置してもよい。但し、上辺部材４１と側辺部材４２とを設置してから、角部材４４を設けた方が、後で設ける屋根材２２Ｄの高さ位置を一定にできる点で好ましい。
【００４５】
また、前記実施の形態のように、三つの部材４１、４２、４４を用いれば、上辺部材４１および側辺部材４２のみを開口部３０の上辺３１および側辺３２の寸法に応じて適宜用意しておけばよく、角部材４４は共通化して用いることができるので、コストを低減できて、様々な開口部３０に対応することができる点で好ましい。
【００４６】
また、本発明は、前記実施形態のような屋根ユニット２１に開口部３０を形成するだけでなく、束柱等で支持される屋根パネル２２にも適用することができる。
また、本発明は、前記実施形態のようなユニット式建物１に限らず、在来工法の建物にも適用することができる。
【００４７】
【発明の効果】
以上に述べたように、本発明の屋根開口部の止水構造によれば、屋根開口部の上辺と側辺とに沿って立ち上がり部が連続して設けられていることによって、開口部の上辺と側辺とから開口部への雨水等の侵入を防ぐことができるとともに、樋および排水管等を省略することができるので、現場作業を削減でき、建物の外観を向上することができる。
【図面の簡単な説明】
【図１】本発明の一実施形態における建物の屋根構造を示す斜視図である。
【図２】本発明の一実施形態における屋根開口部の拡大図である。
【図３】図２におけるIII−III線に沿った断面図である。
【図４】図２におけるIV−IV線に沿った断面図である。
【図５】本発明の一実施形態における立ち上がり部の組立方法を示す斜視図である。
【図６】本発明の一実施形態における立ち上がり部の組立方法を示す斜視図である
【図７】本発明の変形例における二方向に傾斜して山形となるガイド部材を設けた屋根開口部を示す斜視図である。
【図８】本発明の他の変形例における一方向傾斜のガイド部材を設けた屋根開口部を示す斜視図である。
【図９】本発明の他の変形例における屋根開口部の上辺を三角山形に形成した屋根開口部を示す斜視図である。
【図１０】本発明の他の変形例における屋根開口部の上辺を一方向傾斜に形成した屋根開口部を示す斜視図である。
【図１１】従来の屋根開口部の排水構造を示す断面図である。
【符号の説明】
１  ユニット式建物
２０  屋根
２０Ａ  屋根面
２１  屋根ユニット
３０  開口部
３１  上辺
３２  側辺
４０Ａ  上辺立ち上がり部
４０Ｂ  側辺立ち上がり部
４１  上辺部材
４２  側辺部材
４５  接合線
５０  突起
６１  二方向に傾斜して山形となるガイド部材
６２  一方向に傾斜しているガイド部材
【図１】
0003857368.tif 000002
【図２】
0003857368.tif 000003
【図３】
0003857368.tif 000004
【図４】
0003857368.tif 000005
【図５】
0003857368.tif 000006
【図６】
0003857368.tif 000007
【図７】
0003857368.tif 000008
【図８】
0003857368.tif 000009
【図９】
0003857368.tif 000010
【図１０】
0003857368.tif 000011
【図１１】
0003857368.tif 000012